(57)【要約】【課題】  複数の車輌の異常状態の通報を、公衆通信回線に接続される１個の通信端末を共用することにより、個人の費用負担を著しく減少させ、駐車場利用者に大きな安心感を与えることのできる車輌異常通報システムを提供する。【解決手段】  駐車中の車輌に異常状態が発生した場合に予め決められた車輌固有の個別番号を無線電波で送信することのできる個別番号送信手段と、上記個別番号送信手段が発射する無線電波を受信した場合に当該個別番号に該当する電話番号等の通報先番号を有する通信端末に公衆通信回線網を経由して緊急通報を転送することのできる緊急通報転送手段と、上記緊急通報転送手段をその敷地内又は近傍に設置した駐車場と、上記個別番号送信手段を車輌の内部に装備したものであって上記駐車場に駐車した車輌は、その車輌に異常状態が発生した場合にはその車輌の所有者等の特定の相手方に対して異常状態を緊急通報することが出来るという利便性を訴求する広告宣伝手段とを設ける。【選択図】      図１
2005353023.tif 000002
【特許請求の範囲】
【請求項１】
車輌の内部に装備されるものであって、駐車中の車輌に発生した異常状態を検出する異常状態検出手段と、予め決められた車輌固有の個別番号を記憶する個別番号記憶手段と、上記異常状態検出手段によって異常が検出された場合に上記個別番号記憶手段に記憶された個別番号を無線電波で送信する無線送信機とを備えることにより、駐車中の車輌に異常状態が発生した場合に予め決められた車輌固有の個別番号を無線電波で送信することのできる個別番号送信手段と、上記個別番号送信手段から送信された無線電波を受信して復調する受信復調手段と、上記受信復調手段が出力する復調信号から個別番号を検出する個別番号検出手段と、複数の個別番号を各個別番号に該当する電話番号等の通報先番号に変換するための変換情報を記憶する変換情報記憶手段と、上記変換情報記憶手段を参照して上記個別番号検出手段が出力する個別番号を該当する電話番号等の通報先番号に変換する個別番号変換手段と、上記個別番号変換手段によって変換された電話番号等の通報先番号を有する相手方の通信端末に対して公衆通信回線網を経由して通信回線を接続する公衆通信回線接続手段とを備えることにより、上記個別番号送信手段が発射する無線電波を受信した場合に当該個別番号に該当する電話番号等の通報先番号を有する通信端末に公衆通信回線網を経由して緊急通報を転送することのできる緊急通報転送手段と、上記緊急通報転送手段をその敷地内又は近傍に設置した駐車場と、上記個別番号送信手段を車輌の内部に装備したものであって上記駐車場に駐車した車輌は、その車輌に異常状態が発生した場合にはその車輌の所有者等の特定の相手方に対して異常状態を緊急通報することが出来るという利便性を訴求する広告宣伝手段とを備えたことを特徴とする車輌異常通報システム。
【請求項２】
事業体が所有する複数の駐車場であって請求項１に記載する駐車場と、上記複数の駐車場にそれぞれ設置されるものであって記憶された変換情報の一部又は全部が相互に同じになるように構成された請求項１に記載の変換情報記憶手段とを有する請求項１記載の緊急通報転送手段と、請求項１に記載の個別番号送信手段を車輌の内部に１個装備した車輌は上記事業体が所有する複数の駐車場内ではどこでもその車輌に異常状態が発生した場合にはその車輌の所有者等の特定の相手方に対して異常状態を緊急通報することが出来るという利便性を訴求する広告宣伝手段とを備えたことを特徴とする車輌異常通報システム。
【請求項３】
請求項１に記載する個別番号を該当する電話番号等の通報先番号に変換するための変換情報を登録する変換情報登録手段と、上記変換情報登録手段によって登録された変換情報を保管し複数の請求項１に記載の緊急通報転送手段に提供するための変換情報提供手段と、特別に命名された本発明の車輌異常通報システムのシステム名または商標と、上記システム名又は商標を表示する表示手段を有する駐車場と、請求項１に記載の個別番号送信手段を車輌の内部に１個に装備した車輌は上記駐車場内ではどこでもその車輌に異常状態が発生した場合にはその車輌の所有者等の特定の相手方に対して異常状態を緊急通報することが出来るという利便性を訴求する広告宣伝手段とを備えたことを特徴とする車輌異常通報システム。
【発明の詳細な説明】
【技術分野】
【０００１】  本発明は駐車場等に駐車した車輌に、盗難、車輌破壊等の異常が発生した場合に、特定の相手方にその異常状態を緊急通報する車輌異常通報システムに関するものである。
【背景技術】
【０００２】  近年、車輌異常通報システムは、車輌の盗難や破壊の被害の増加に伴い、様々な方式のものが製品化され、その市場は増加の一途を辿っている。以下図面を参照しながら、上述した従来の車輌異常通報システムの一例について説明する。【０００３】  図４は従来の車輌異常通報システムのブロック図を示すものである。図４において、１は異常状態検出手段であり、
（１）車輌に人が接近したことを検出する人体検出手段
（２）車輌に振動が発生したことを検出する振動検出手段
（３）車輌の一部が破壊されたときに発生する音響を検出する音響検出手段
（４）車輌のドアが開けられて車内の室内ランプが点灯したことを検出する光検出手段など様々な方式が存在する。【０００４】  ９は、各種の異常状態検出手段によって検出された異常状態を公衆通信回線に接続するための公衆通信回線接続手段であり、移動する車輌内に常時装備するため、固定電話ではなく、もっぱら無線によって公衆通信回線に接続される携帯電話やＰＨＳ等の通信端末又は同等の機能を有する無線通信端末が使用される。【０００５】  １２は、車輌で上記異常状態検出手段１と上記公衆通信回線接続手段９を内部に設備している。１３は上記車輌１２の所有者等が持つ通信端末で、通常は公衆通信回線に無線で接続される携帯電話やＰＨＳ等が使用される。１４は公衆通信回線網で、上記公衆通信回線接続手段９と上記通信端末１３とを無線による電話回線で接続する。【０００６】  以上のように構成された車輌異常通報システムについて、以下その動作について説明する。まず、車輌１２に上記した様々な異常状態のどれかが発生し、異常状態検出手段１が異常状態を検出する。次に、異常状態検出手段１は検出した異常状態を公衆通信回線接続手段９に伝達する。上記公衆通信回線接続手段９は異常状態の信号が入力されると、予め決められた電話番号を有する通信端末１３（通常は当該車輌の所有者の携帯電話やＰＨＳ等）に自動的にダイアルする。【０００７】  このとき、回線接続は公衆通信回線網１４を経由して行われ、通常は携帯電話網やＰＨＳ通信網といった無線公衆通信回線網が使用される。着信を受けた通信端末１３は、公衆通信回線接続手段９からの呼出を受け、車輌１２から離れた場所であっても車輌１２に異常が発生したことを知ることが出来る。
【発明の開示】
【発明が解決しようとする課題】
【０００８】  しかしながら上記のような構成では、１台の車輌に１個の公衆通信回線接続手段９を設備する必要がある。公衆通信回線接続手段９は、移動する車輌内に常時装備するため、通常は公衆通信回線に無線で接続される携帯電話やＰＨＳ等の通信端末又は同等の機能を有する無線通信端末が使用される。【０００９】  これらの通信端末は、公衆通信回線に接続するため、端末本体の購入初期費用及び回線使用時の通話料金だけでなく毎月の基本使用料金の費用が発生する。しかし、車輌に発生する異常状態は常時発生するものではなく、発生するかもしれないという可能性を持ったものであり、個人的な使用状況からみればごく希にしか発生しないものである。【００１０】  このように、ごく希にしか発生しない異常状態を通報するために、通信端末本体の費用及び毎月の基本使用料金を負担しなければならないので、従来の車輌異常通報システムを利用する人は、車輌の安全確保のために、多大な費用を負担しなければならない。
また、事業体が有する駐車場には通常「当駐車場内での盗難、事故等については当店は一切責任を負いません」というような表示がなされており、上記のような車輌異常通報システムを装備していない車輌の所有者は駐車に際して安心を得ることが出来ない。
即ち、上記のような構成では、
（１）通常、駐車場内での異常状態については自己責任となるので安心して駐車することが出来ない。
（２）車輌の安全確保のために、車輌の異常状態を知りたい人は多大な費用を負担しなければならない。
という問題点を有していた。【００１１】  本発明は上記問題点を解決し、複数の車輌の異常状態の通報を、公衆通信回線に接続される１個の通信端末を共用することにより、個人の費用負担を著しく減少させ、駐車場利用者に大きな安心感を与えることのできる車輌異常通報システムを提供することにある。
【課題を解決するための手段】
【００１２】  上記問題点を解決するために本発明の車輌異常通報システムは、
車輌の内部に装備されるものであって、駐車中の車輌に発生した異常状態を検出する異常状態検出手段と、予め決められた車輌固有の個別番号を記憶する個別番号記憶手段と、上記異常状態検出手段によって異常が検出された場合に上記個別番号記憶手段に記憶された個別番号を無線電波で送信する無線送信機とを備えることにより、駐車中の車輌に異常状態が発生した場合に予め決められた車輌固有の個別番号を無線電波で送信することのできる個別番号送信手段と、上記個別番号送信手段から送信された無線電波を受信して復調する受信復調手段と、上記受信復調手段が出力する復調信号から個別番号を検出する個別番号検出手段と、複数の個別番号を各個別番号に該当する電話番号等の通報先番号に変換するための変換情報を記憶する変換情報記憶手段と、上記変換情報記憶手段を参照して上記個別番号検出手段が出力する個別番号を該当する電話番号等の通報先番号に変換する個別番号変換手段と、上記個別番号変換手段によって変換された電話番号等の通報先番号を有する相手方の通信端末に対して公衆通信回線網を経由して通信回線を接続する公衆通信回線接続手段とを備えることにより、上記個別番号送信手段が発射する無線電波を受信した場合に当該個別番号に該当する電話番号等の通報先番号を有する通信端末に公衆通信回線網を経由して緊急通報を転送することのできる緊急通報転送手段と、上記緊急通報転送手段をその敷地内又は近傍に設置した駐車場と、上記個別番号送信手段を車輌の内部に装備したものであって上記駐車場に駐車した車輌は、その車輌に異常状態が発生した場合にはその車輌の所有者等の特定の相手方に対して異常状態を緊急通報することが出来るという利便性を訴求する広告宣伝手段とを備えたことを特徴とする。【００１３】  また上記車輌異常通報システムにおいて、駐車場は事業体が所有する複数のものであって、上記複数の駐車場にそれぞれ設置されるものであって記憶された変換情報の一部又は全部が相互に同じになるように構成された変換情報記憶手段とを有する緊急通報転送手段と、個別番号送信手段を車輌の内部に１個装備した車輌は上記事業体が所有する複数の駐車場内ではどこでもその車輌に異常状態が発生した場合にはその車輌の所有者等の特定の相手方に対して異常状態を緊急通報することが出来るという利便性を訴求する広告宣伝手段とを備えたことを特徴とする。【００１４】  更に上記車輌異常通報システムにおいて、個別番号を該当する電話番号等の通報先番号に変換するための変換情報を登録する変換情報登録手段と、上記変換情報登録手段によって登録された変換情報を保管し複数の緊急通報転送手段に提供するための変換情報提供手段と、特別に命名された本発明の車輌異常通報システムのシステム名または商標と、上記システム名又は商標を表示する表示手段を有する駐車場と、個別番号送信手段を車輌の内部に１個に装備した車輌は上記駐車場内ではどこでもその車輌に異常状態が発生した場合にはその車輌の所有者等の特定の相手方に対して異常状態を緊急通報することが出来るという利便性を訴求する広告宣伝手段とを備えたことを特徴とする。
【発明の効果】
【００１５】  本発明は上記した構成によって、複数の車輌の異常状態の通報を公衆通信回線に接続される１個の公衆通信回線接続手段を共用して行うことが出来る上に、当該駐車場は本発明の車輌異常通報システムを設備しているので安心して駐車出来るという利便性を訴求することが出来るので、
（１）個人の費用負担を著しく減少させることが出来る。
（２）本発明の個別番号送信手段を装置した車輌は、本発明の緊急通報転送手段を設備した駐車場ならどこでも、その車輌に発生した異常状態を車輌の所有者等の特定の相手方に対して緊急通報することが出来るので、安心して駐車することが出来る。
（３）上記（１）及び（２）の効果により、事業体の駐車場に駐車する顧客へのサービス性を著しく高めることが出来る。
【発明を実施するための最良の形態】
【００１６】  以下本発明に係わる実施形態について、図面を参照して説明する。なお、同様の構成要素については同一の符号を付している。
【実施例１】
【００１７】  図１は本発明の実施例１の車輌異常通報システムのブロック図及び構成図を示すものである。図１において、図４と同一番号を付したものは機能において全く同一であるため、説明を省略する。【００１８】  図１において、２は個別番号記憶手段で、予め各車輌に割り当てられ且つ他の車輌と重複しない個別番号又は記号を記憶する。３は、無線送信機で、異常状態検出手段１及び個別番号記憶手段２を入力信号とする。無線送信機３は、異常状態検出手段１が異常状態を検出した場合に、個別番号記憶手段２に記憶された個別番号又は記号を無線電波として空間へ輻射する。【００１９】  ４は個別番号送信手段で、異常状態検出手段１と個別番号記憶手段２と無線送信機３とを備え、駐車中の車輌に異常状態が発生した場合に予め決められた車輌固有の個別番号を無線電波で送信する。【００２０】  ５は、受信復調手段で個別番号送信手段４から送信された無線電波を受信して復調する。６は個別番号検出手段で、受信復調手段５の出力に接続され、受信復調手段５が出力する復調信号から個別番号を検出する。７は変換情報記憶手段で、複数の個別番号を各個別番号に該当する電話番号等の通報先番号に変換するための変換情報を記憶する。【００２１】  ８は個別番号変換手段で、変換情報記憶手段７及び個別番号検出手段６に接続され、変換情報記憶手段７の変換情報を参照し個別番号検出手段６が出力する個別番号を該当する電話番号等の通報先番号に変換する。９は公衆通信回線接続手段で、個別番号変換手段８の出力に接続され、個別番号変換手段８によって変換された電話番号等の通報先番号を有する相手方の通信端末に対して公衆通信回線網を経由して通信回線を接続する。即ち、相手方の通信端末に電話をかける。【００２２】  １０は受信復調手段５と個別番号検出手段６と変換情報記憶手段７と個別番号変換手段８と公衆通信回線接続手段９とを備え、個別番号送信手段４が発射する無線電波を受信した場合にその個別番号に該当する電話番号等の通報先番号を有する通信端末に公衆通信回線網１４を経由して緊急通報を転送する。【００２３】  １１は、駐車場で、緊急通報転送手段１０がその敷地内又は近傍に設置されている。１２ａ、１２ｂ、１２ｃ及び１２ｄはそれぞれ異なる車輌で、各車輌は、それぞれ異なる個別番号を有する個別番号送信手段４ａ、４ｂ、４ｃ及び４ｄを装備している。説明のために、各車輌は、それぞれＡ車輌、Ｂ車輌、Ｃ車輌及びＤ車輌と呼ぶことにする。【００２４】  個別番号送信手段４ａ、４ｂ、４ｃ及び４ｄが送信する個別番号は、それぞれＡ、Ｂ、Ｃ及びＤであるものとする。車輌１２ａ、１２ｂ、１２ｃ及び１２ｄは駐車場１１の敷地内に駐車している。１３ａ、１３ｂ、１３ｃ及び１３ｄは各車輌１２ａ、１２ｂ、１２ｃ及び１２ｄの所有者が所有する携帯通信端末であり、説明のために各所有者をそれぞれＡ氏、Ｂ氏、Ｃ氏及びＤ氏と仮名を付す。【００２５】  ａ，ｂ，ｃ及びｄの記号は、所有者と車輌及び個別番号送信手段の関係を示すものであって、Ａ氏の車輌は１２ａであり、その車輌に装備している個別番号送信手段は４ａであり、送信される個別番号はＡであるものとする。以下、ｂ，ｃ，ｄについても同様とする。また、Ａ氏、Ｂ氏、Ｃ氏及びＤ氏が所有する通信端末の電話番号をそれぞれａａａ、ｂｂｂ、ｃｃｃ及びｄｄｄと仮定する。緊急通報転送手段１０は、個別番号Ａを受信すると電話番号ａａａに変換して自動的に電話をかける。以下、同様にＢをｂｂｂに、Ｃをｃｃｃに、Ｄをｄｄｄに変換して自動的に電話をかけるという動作を行う。【００２６】  なお、請求項１に記載した広告宣伝手段は、個別番号送信手段４を車輌の内部に装備し且つ駐車場１１に駐車した車輌はその車輌に異常状態が発生した場合にその車輌の所有者等の特定の相手方に対して異常状態を緊急通報することが出来るという本発明の利便性そのものを訴求するものであり、本発明の動作説明には特に必要ではないので図面への記載は省略した。【００２７】  以上のように構成された車輌異常通報システムについて、以下図１を用いてその動作を説明する。図１において、ある車輌に異常状態が発生したと仮定する。この場合、異常状態検出手段１が異常状態を検出して出力する動作は、従来例の説明と全く同じである。【００２８】  次に、無線送信機３は、異常状態検出手段１が異常状態を検出したので、個別番号記憶手段２に記憶された個別番号又は記号を無線電波として空間へ輻射する。結果的として、車輌内に装備された個別番号送信手段４が、車輌固有の個別番号を無線電波で送信したことになる。【００２９】  個別番号送信手段４から送信された無線電波は、緊急通報転送手段１０の中の受信復調手段５によって受信復調され、個別番号検出手段６によって復調信号の中から個別番号が検出される。検出された個別番号は、個別番号変換手段８に入力される。個別番号変換手段８は、変換情報記憶手段７の変換情報を参照し、入力された個別番号を該当する電話番号等の通報先番号に変換する。【００３０】  個別番号変換手段８によって個別番号は電話番号等の通報先番号に変換され、公衆通信回線接続手段９により、変換された電話番号等の通報先番号を有する相手方の通信端末に対して公衆通信回線網を経由して通信回線を接続する。即ち、電話をかけるという動作を行う。結果として、緊急通報転送手段１０は、個別番号送信手段４が発射する無線電波を受信し、その個別番号に該当する電話番号等の通報先番号を有する通信端末に公衆通信回線網を経由して緊急通報を転送したこととなる。【００３１】  次に、４台の車輌Ａ、Ｂ、Ｃ及びＤにそれぞれ個別番号送信手段４ａ、４ｂ、４ｃ及び４ｄが装備され、各車輌が緊急通報転送手段１０が設備された駐車場１１内に駐車されている場合について説明する。Ａ氏、Ｂ氏、Ｃ氏及びＤ氏は、車輌Ａ、Ｂ、Ｃ及びＤから離れた場所、又は駐車場１１から離れた場所に存在しているものとする。【００３２】  今、Ａ車輌に異常状態が発生したと仮定する。この場合、Ａ車輌内に装備された個別番号送信手段４ａが、Ａ車輌固有の個別番号Ａを無線電波で送信する。次に、緊急通報転送手段１０は、個別番号送信手段４ａが発射する無線電波を受信し、個別番号Ａに該当する電話番号ａａａを有する通信端末１３ａに公衆通信回線網を経由して緊急通報を転送する。従って、Ａ氏は自分の所有するＡ車輌に異常状態が発生したことを遠隔地で知ることが出来る。この場合、Ｂ氏、Ｃ氏及びＤ氏へは���の通報も転送されないので、全く影響はない。【００３３】  以下、同様にＢ車輌に発生した異常状態はＢ氏へ通報される。Ｃ車輌、Ｄ車輌についても全く同様の動作でそれぞれＣ氏、Ｄ氏へ通報される。なお、図１においては車輌の台数を４台として説明しているが、本発明の原理上、車輌の台数に制限がないことは言うまでもない。【００３４】  以上のように実施例１によれば、車輌の内部に装備されるものであって、駐車中の車輌に発生した異常状態を検出する異常状態検出手段と、予め決められた車輌固有の個別番号を記憶する個別番号記憶手段と、上記異常状態検出手段によって異常が検出された場合に上記個別番号記憶手段に記憶された個別番号を無線電波で送信する無線送信機とを備えることにより、駐車中の車輌に異常状態が発生した場合に予め決められた車輌固有の個別番号を無線電波で送信することのできる個別番号送信手段と、上記個別番号送信手段から送信された無線電波を受信して復調する受信復調手段と、上記受信復調手段が出力する復調信号から個別番号を検出する個別番号検出手段と、複数の個別番号を各個別番号に該当する電話番号等の通報先番号に変換するための変換情報を記憶する変換情報記憶手段と、上記変換情報記憶手段を参照して上記個別番号検出手段が出力する個別番号を該当する電話番号等の通報先番号に変換する個別番号変換手段と、上記個別番号変換手段によって変換された電話番号等の通報先番号を有する相手方の通信端末に対して公衆通信回線網を経由して通信回線を接続する公衆通信回線接続手段とを備えることにより、上記個別番号送信手段が発射する無線電波を受信した場合に当該個別番号に該当する電話番号等の通報先番号を有する通信端末に公衆通信回線網を経由して緊急通報を転送することのできる緊急通報転送手段と、上記緊急通報転送手段をその敷地内又は近傍に設置した駐車場と、上記個別番号送信手段を車輌の内部に装備したものであって上記駐車場に駐車した車輌は、その車輌に異常状態が発生した場合にはその車輌の所有者等の特定の相手方に対して異常状態を緊急通報することが出来るという利便性を訴求する広告宣伝手段とを設けることにより、複数の車輌の異常状態の通報を公衆通信回線に接続される１個の公衆通信回線接続手段を共用して行うことが出来るとともに、当該駐車場は本発明の車輌異常通報システムを設備しているので安心して駐車出来るという利便性を訴求することが出来るので
（１）個人の費用負担を著しく減少させることが出来る。
（２）当該駐車場を利用する人に大きな安心感を与えることが出来る。
【実施例２】
【００３５】  以下本発明の第２の実施例について図面を参照しながら説明する。図２は本発明の実施例２の車輌異常通報システムの構成図である。図２において、図１と同一番号を付したものは動作において全く同一なので動作の説明を省略する。図１の構成と異なるのは駐車場１１を３箇所に設けた点である。図２において、１１ａ、１１ｂ及び１１ｃは地理的に互いに離れた場所に存在するある事業体の所有する駐車場である。１０ａ、１０ｂ及び１０ｃは緊急通報転送手段であり、変換情報が相互に同じになるように構成された変換情報記憶手段を有している。【００３６】  緊急通報転送手段１０ａ、１０ｂ及び１０ｃは、各駐車場１１ａ、１１ｂ及び１１ｃに設備されている。即ち、駐車場１１ａでの異常状態は緊急通報転送手段１１ａによって転送されることになる。以下、駐車場１１ｂ及び駐車場１１ｃについても同様である。【００３７】  上記のように構成された車輌異常通報システムについて、以下その動作を説明する。
今、個別信号送信手段４を装備した車輌１２が、駐車場１１ａに駐車し、異常状態が発生したとする。この場合は、実施例１で説明した動作とまったく同じ動作により、車輌１２の所有者に異常状態が通報される。【００３８】  また、車輌１２が移動して駐車場１１ａと地理的に異なる駐車場１１ｂに駐車した場合においても、緊急通報転送手段１０ｂ内の個別番号送信手段４に関する変換情報が同じなので、車輌１２に異常状態が発生した場合に車輌１２の所有者に異常状態が通報される。更に車輌１２が移動して別の駐車場１１ｃに駐車した場合も同様である。【００３９】  なお、請求項２に記載した広告宣伝手段は、個別番号送信手段４を車輌１２の内部に１個装備した車輌は事業体が所有する複数の駐車場１１ａ、１１ｂ及び１１ｃ内であればどこでもその車輌１２に異常状態が発生した場合に車輌１２の所有者等の特定の相手方に対して異常状態を緊急通報することが出来るという本発明の利便性そのものを訴求するものであり、本発明の動作説明には特に必要ではないので図面への記載は省略した。【００４０】  実施例２の駐車場をある事業体、例えばあるチェーン店が所有する各地の複数の駐車場に設備した場合、当該チェーン店の駐車場内ではどこでも実施例１で説明した効果を得ることが出来るので、当該チェーン店の駐車場に駐車する顧客へのサービス性を著しく高めることが出来る。【００４１】  以上のように、事業体が所有する複数の駐車場であって請求項１に記載する駐車場と、上記複数の駐車場にそれぞれ設置されるものであって記憶された変換情報の一部又は全部が相互に同じになるように構成された請求項１に記載の変換情報記憶手段とを有する請求項１記載の緊急通報転送手段と、請求項１に記載の個別番号送信手段を車輌の内部に１個装備した車輌は上記事業体が所有する複数の駐車場内ではどこでもその車輌に異常状態が発生した場合にはその車輌の所有者等の特定の相手方に対して異常状態を緊急通報することが出来るという利便性を訴求する広告宣伝手段とを設けることにより、上記事業体の顧客は、上記事業体の駐車場であればどこでも実施例１で説明した利便性を得られるので、当該事業体の駐車場に駐車する顧客へのサービス性を著しく高めることが出来る。【００４２】  次に、本発明の実施例３について図面を参照しながら説明する。図３は本発明の実施例３の車輌異常通報システムの構成図である。図３において、図１及び図２と同一番号を付したものは動作において全く同一であるため説明を省略する。【００４３】  １５は変換情報登録手段で、個別番号送信手段４に記憶された個別番号と通報を受ける通信端末の電話番号を登録する。１６はシステム管理会社で、本発明の車輌異常通報システム全体を管理する。変換情報登録手段１５によって登録された変換情報はシステム管理会社１６に送られる。１７は変換情報提供手段で、変換情報登録手段１５によって登録された変換情報を保管し複数の緊急通報転送手段１０ａ、１０ｂ及び１０ｃに変換情報を提供する。【００４４】  １８は特別に命名された本発明の車輌異常通報システムのシステム名又は商標であり、説明のために本発明の車輌異常通報システムには仮称「安全駐車場」が付与されているものとす���。１９は本発明の車輌異常通報システムを設備した駐車場である旨を表示する表示手段で、本発明の車輌異常通報システムの仮称「安全駐車場」も併せて表示しているものとする。【００４５】  上記のように構成された車輌異常通報システムについて、以下その動作を説明する。まず、「安全駐車場」で本発明の利便性を享受したい利用者は、個別番号送信手段４を入手し、利用者の所有する車輌１２に個別番号送信手段を装備すると共に、個別番号送信手段４の個別番号及び通報を転送して欲しい通信端末の電話番号を上記利用者の変換情報として変換情報登録手段１５により登録する。【００４６】  次に、システム管理会社は上記登録手段によって登録された変換情報を変換情報提供手段１７に蓄積し、複数の緊急通報転送手段１０ａ、１０ｂ及び１０ｃに変換情報を提供する。提供方法は、インターネットを利用する方法、個別の記憶媒体に変換情報を書き込んだ後、書き込まれた記憶媒体を送付する方法等がある。緊急通報転送手段１０ａ、１０ｂ及び１０ｃは変換情報提供手段１７から同一の変換情報を供給されるので利用者の変換情報を相互に共有することになる。【００４７】  変換情報を共有する緊急通報転送手段を設備した駐車場は「安全駐車場」であり、本発明の車輌異常通報システムに登録した個別番号を有する個別番号送信手段４を装備した車輌１２は、「安全駐車場」であれば、駐車場１１ａ、１１ｂ、１１ｃを問わず、どこでも実施例１で説明した利便性を享受することが出来る。【００４８】  なお、請求項３に記載した広告宣伝手段は、個別番号送信手段４を車輌の内部に１個に装備した車輌は「安全駐車場」と表示された駐車場であればどこでもその車輌に異常状態が発生した場合にその車輌の所有者等の特定の相手方に対して異常状態を緊急通報することが出来るという本発明の利便性そのものを訴求するものであり、本発明の動作説明には特に必要ではないので図面への記載は省略した。【００４９】  実施例３の駐車場を、複数の事業体が所有する各地の複数の駐車場に設備した場合、各駐車場はすべて「安全駐車場」となる。そして「安全駐車場」であれば、異なる事業体の所有する駐車場であっても、実施例１で説明した効果を得ることが出来るので、各事業体の駐車場を「安全駐車場」にすることにより、顧客は、事業体の種類に関係なく「安全駐車場」に駐車すればどこでも実施例１で説明した利便性を得られると共に、実施例３の駐車場を有する各事業体は、駐車場の安全性に関する顧客へのサービス性を著しく高めることが出来る。【００５０】  なお、本発明の実施例において、異常状態の通報先は、通信端末の電話番号としたが、電子メールアドレスとしてもよい。また、通信端末は、携帯電話やＰＨＳ等としているが、駐車場の場所によっては固定電話であっても同様の効果が得られることは言うまでもない。
【図面の簡単な説明】
【００５１】
【図１】本発明の実施例１の車輌異常通報システムのブロック図及び構成図である。
【図２】本発明の実施例２の車輌異常通報システムの構成図である。
【図３】本発明の実施例３の車輌異常通報システムの構成図である。
【図４】従来の車輌異常通報システムのブロック図である。
【符号の説明】
【００５２】  １  異常状態検出手段
２  個別番号記憶手段
３  無線送信機
４  個別番号送信手段
５  受信復調手段
６  個別番号検出手段
７  変換情報記憶手段
８  個別番号変換手段
９  公衆通信回線接続手段
１０  緊急通報転送手段
１１  駐車場
１２  車輌
１４  公衆通信回線
【図１】
2005353023.tif 000003
【図２】
2005353023.tif 000004
【図３】
2005353023.tif 000005
【図４】
2005353023.tif 000006